(57)【要約】【課題】  極狭の隙間部に螺合された六角穴付きボルトの締め付け・取り外しを容易にすると共に、構成部品が一体成型によって集約される構造により力損失（パワーロス）の抑制と、収納時の部品管理が容易な六角レンチラチェットアダプターの提供を図る。【解決手段】  ラチェットレンチ２０に取り付けられて六角穴付きボルトＢを締結するための六角レンチ専用のラチェットアダプターであって、上方にラチェットレンチ２０のラチェット穴２１に嵌合される多角形の締め付け頭部１１を備えると共に、中間に少なくとも前記締め付け頭部１１より大径に形成され且つ周縁部に滑り止め加工１２ａが施された円盤状のフランジ部１２を備え、さらに下方に先端部を先細りのテーパー状１４に形成した所要長さを有する六角レンチ部１３を備えて成り、全体が一体成型されて成る手段を採る。【選択図】図１
2019115947.tif 000002
【特許請求の範囲】
【請求項１】
ラチェットレンチに取り付けられて六角穴付きボルトを締結するための六角レンチ専用のラチェットアダプターであって、
前記六角レンチラチェットアダプターは、上方にラチェットレンチのラチェット穴に嵌合される多角形の締め付け頭部を備えると共に、中間に少なくとも前記締め付け頭部より大径に形成され且つ周縁部に滑り止め加工が施された円盤状のフランジ部を備え、さらに下方に先端部を先細りのテーパー状に形成した所要長さを有する六角レンチ部を備えて成り、全体が一体成型されて成ることを特徴とする六角レンチラチェットアダプター。
【請求項２】
前記六角レンチ部の先端が、平面状または球面状に面取りされて成ることを特徴とする請求項１記載の六角レンチラチェットアダプター。
【発明の詳細な説明】
【技術分野】
【０００１】
本発明は、六角穴付きボルトの締め付け・取り外しに用いられる六角レンチに関し、詳しくは、ラチェットレンチによって駆動され、極狭の隙間部に螺合された六角穴付きボルトの締め付け・取り外しを容易にすると共に、構成部品が一体成型によって集約される構造により力損失（パワーロス）を抑制し、収納時の部品管理が容易な六角レンチラチェットアダプターに関する。
【背景技術】
【０００２】
六角穴付きボルトの締め付け・取り外し作業は、曲げ部を有しＬ字形を為した六角レンチを用いて行われるが、ボルトの六角穴に六角レンチの先端を差し込み回転しては、その都度抜いて再度差し込み回転をするといった、繰り返しの手作業を要するものであったため、手間が掛かり非常に煩雑であった。特に、極狭の隙間部に螺合された六角穴付きボルトの締め付け・取り外し作業においては、Ｌ形状を為す六角レンチの高さが嵩んで、周辺の障害物と接触して作業ができない場合があり、また、ボルトの六角穴に六角レンチの先端がうまく掛からず、あいまいな締め付けとなってしまう場合があった。
【０００３】
上記問題点を解決すべく、従来より、ラチェットレンチを利用して容易にボルトナットの締め付け・取り外しができる提案がなされている。例えば、ラチェットレンチにアダプターとして装着することにより、該ラチェットレンチがソケットレンチのハンドルと同じ仕事をすることができる「ラチェットレンチのアダプター」（特許文献１）が提案されている。具体的には、上下に伸びたセンターライン上に、上から順に、蝶ナット・平ワッシャー・全ネジボルト・正六角柱・薄い円板・正四角柱を配置して、一つは蝶ナットと平ワッシャーをそれぞれのセンターラインを合わせてくっつけて一体の物とし、他方は全ネジボルトと正六角柱と薄い円板と正四角柱のそれぞれのセンターラインを合わせてくっつけて一体の物としたラチェットレンチのアダプターの提案である。
【０００４】
しかしながら、かかる「ラチェットレンチのアダプター」の提案は、その使用用途が交換可能なボックスレンチによってボルトナットを締結する目的に限定されるもので、極狭の隙間部に螺合された六角穴付きボルトの締め付け・取り外しを目的とするものではなかった。
【０００５】
また、非常に狭い作業空間において、ビス等を捩じ込んだり緩めたりするのに使用されると共に、ボルト、ナット類の締め付けにも兼用することができる「ラチェットドライバー」（特許文献２）が提案されている。具体的には、レバーの少なくとも一端に設けたラチェット機構を有するレンチ部に、ビットを着脱自在に取り付けたホルダーソケットを着脱自在に装着したものとし、このホルダーソケットをラチェット機構により正逆回転可能なものとし、さらにレバーの下側において、ホルダーソケットの側部に早回し用の摘体を取り付けたラチェットドライバーの提案である。
【０００６】
しかしながら、かかる「ラチェットドライバー」の提案は、その使用用途がホルダーソケットによってビスを締結する目的に限定される（ボルト、ナット類の締め付けにも兼用することができる機能は、単にラチェットレンチを利用することで達成される）もので、さらに部品構成が複数となることによって、部品管理や組み立て作業が発生することから、極狭の隙間部に螺合された六角穴付きボルトの締め付け・取り外しを目的とするものではなく、しかも収納時の部品管理を煩雑にする、といった問題があった。
【０００７】
さらに、六角レンチを使用せず、スパナにて作業できるようにすると共に、一種のスパナで多種の六角レンチ機能を持たせた「六角レンチ不要アダプター」（特許文献３）が提案されている。具体的には、レンチ部にフランジとスパナ掛け部を設け、小スペースに収めた提案となっている。
【０００８】
しかしながら、かかる「六角レンチ不要アダプター」の提案は、その構成において、フランジ部がスパナ掛け部と略同径であることから、該フランジ部を介して手回しによってアダプターを回転することができるものではなく、また、レンチ部の先端がテーパー状に面取りされていないことから、極狭の隙間部に螺合された六角穴付きボルトの六角穴にレンチ部の先端がうまく掛からない場合が想定され、その結果、あいまいな締め付けとなってしまう、といった問題があった。
【０００９】
本出願人は、ラチェットレンチを利用したボルトナットならびにネジの締め付け・取り外し手段に着目し、極狭の隙間部に螺合された六角穴付きボルトの締め付け・取り外しを簡単且つ確実に作業することはできないものかとの着想の下、極狭の隙間部における六角穴付きボルトの締め付け・取り外しが容易であると共に、構成部品が一体成型によって集約される構造により力損失（パワーロス）の抑制と、収納時の部品管理が容易なラチェットアダプターを開発し、本発明にかかる「六角レンチラチェットアダプター」の提案に至るものである。
【先行技術文献】
【特許文献】
【００１０】
【特許文献１】特開２０１１−５６６５３号公報
【特許文献２】実用新案登録第３１２２９８４号公報
【特許文献３】特開２００６−３２６８１７号公報
【発明の概要】
【発明が解決しようとする課題】
【００１１】
本発明は、上記事情ならびに問題点に鑑み、極狭の隙間部に螺合された六角穴付きボルトの締め付け・取り外しを容易にすると共に、構成部品が一体成型によって集約される構造により力損失（パワーロス）の抑制と、収納時の部品管理が容易な六角レンチラチェットアダプターを提供することを課題とする。
【課題を解決するための手段】
【００１２】
上記課題を解決するため、本発明は、ラチェットレンチに取り付けられて六角穴付きボルトを締結するための六角レンチ専用のラチェットアダプターであって、上方にラチェットレンチのラチェット穴に嵌合される多角形の締め付け頭部を備えると共に、中間に少なくとも締め付け頭部より大径に形成され且つ周縁部に滑り止め加工が施された円盤状のフランジ部を備え、さらに下方に先端部を先細りのテーパー状に形成した所要長さを有する六角レンチ部を備えて成り、全体が一体成型されて成る手段を採る。
【００１３】
また、本発明は、前記六角レンチ部の先端が、平面状または球面状に面取りされて成る手段を採る。
【発明の効果】
【００１４】
本発明にかかる六角レンチラチェットアダプターによれば、六角レンチラチェットアダプター自体が一体成型されていることによって、締め付け時の力損失（パワーロス）の抑制と、構成部品が一体成型によって集約される構造により収納時の部品管理が容易である、といった優れた効果を奏する。
【００１５】
また、本発明にかかる六角レンチラチェットアダプターによれば、極狭の隙間部に螺合された六角穴付きボルトの締め付け・取り外しを容易にする、といった優れた効果を奏する。
【００１６】
さらに、本発明にかかる六角レンチラチェットアダプターによれば、六角レンチ部の先端部を先細りのテーパー状に形成することによって、六角穴付きボルトの穴に六角レンチ部の先端を容易に嵌入させることができ、確実な締め付けを可能にする、といった優れた効果を奏する。
【００１７】
またさらに、本発明にかかる六角レンチラチェットアダプターによれば、六角レンチ部の先端が、平面状または球面状に面取りされていることによって、六角穴付きボルトの穴への六角レンチ部先端の嵌入を容易にすると共に、該先端による突き刺し負傷を防止し、安全性向上に資する、といった優れた効果を奏する。
【００１８】
さらにまた、本発明にかかる六角レンチラチェットアダプターによれば、締め付け頭部より大径に形成され且つ周縁部に滑り止め加工が施された円盤状のフランジ部が形成されていることによって、初期回転時などにおいて、該フランジ部を介して六角穴付きボルトを手回しで容易にねじ込むことができる、といった優れた効果を奏する。
【図面の簡単な説明】
【００１９】
【図１】本発明にかかる六角レンチラチェットアダプターの実施形態を示す説明図である。（実施例１）
【図２】本発明にかかる六角レンチラチェットアダプターの使用状態の手順を示す説明図である。
【図３】本発明にかかる六角レンチラチェットアダプターの他の実施形態を示す説明図である。（実施例２）
【発明を実施するための形態】
【００２０】
本発明は、ラチェットレンチ２０に取り付けられて六角穴付きボルトＢを締結するための六角レンチ専用のラチェットアダプターであって、上方にラチェットレンチ２０のラチェット穴２１に嵌合される多角形の締め付け頭部１１を備えると共に、中間に少なくとも前記締め付け頭部１１より大径に形成され且つ周縁部に滑り止め加工１２ａが施された円盤状のフランジ部１２を備え、さらに下方に先端部を先細りのテーパー状１４に形成した所要長さを有する六角レンチ部１３を備えて成り、全体が一体成型されて成る手段を採ったことを最大の特徴とする。
以下、本発明にかかる六角レンチラチェットアダプター１０の実施形態を、図面に基づいて説明する。
【００２１】
尚、本発明にかかる六角レンチラチェットアダプター１０は、以下に述べる実施例に限定されるものではなく、本発明の技術的思想の範囲内、すなわち同一の作用効果を発揮できる形状や寸法等の範囲内で、適宜変更することができる。
【実施例１】
【００２２】
図1は、本発明にかかる六角レンチラチェットアダプター１０の実施形態を示す説明図であり、（ａ）は全体斜視図、（ｂ）は断面図、（ｃ）は使用状態を示す斜視図である。
本発明にかかる六角レンチラチェットアダプター１０は、上方にラチェットレンチ２０のラチェット穴２１に嵌合される多角形の締め付け頭部１１を備えると共に、中間に少なくとも締め付け頭部１１より大径に形成され且つ周縁部に滑り止め加工１２ａが施された円盤状のフランジ部１２を備え、さらに下方に先端部を先細りのテーパー状１４に面取り１４した所要長さを有する六角レンチ部１３を備えた構成となっている。
【００２３】
本発明にかかる六角レンチラチェットアダプター１０は、前記締め付け頭部１１とフランジ部１２と六角レンチ部１３の全体が一体成型されて形成されるもので、その材質については特に限定するものではないが、例えばクロム・バナジウム鋼やクロムモリブデン鋼を熱処理したものなど金属製から成る。特に六角レンチ部１３については、曲げ強度向上のため、ロックウェル硬さを４３〜５３ＨＲＣと高くして形成され、表面は黒染めやニッケルメッキ、クロムメッキなどで処理されている。
【００２４】
締め付け頭部１１は、肉薄型のラチェットレンチ２０のラチェット穴２１に嵌入可能な多角形状、例えばボルト頭型の形状に形成され、ラチェットレンチ２０を一方向に回動させることによって、ラチェット機構により六角レンチラチェットアダプター１０が回転して、六角穴付きボルトＢの締め付け作業を可能にするものである。尚、締め付け頭部１１は、ラチェットレンチ２０のラチェット穴２１に嵌入してラチェット機構を有効に作用させる形態であれば、必ずしもボルト頭型の形状に限定されるものではない。
【００２５】
フランジ部１２は、前記締め付け頭部１１と六角レンチ部１３の中間に備えられるもので、六角レンチラチェットアダプター１０の回転中心軸を中心とする円盤状に形成され、少なくとも締め付け頭部１１より大径に形成される。また、該フランジ部１２の周縁部には、滑り止め加工１２ａが施されている。
【００２６】
滑り止め加工１２ａは、前記フランジ部１２の周縁部にローレット加工や凹凸溝加工によって形成されるもので、該滑り止め加工１２ａが施されたフランジ部１２を指先で把持して、初期回転時など手回しによる作業が容易となっている。
【００２７】
六角レンチ部１３は、六角穴付きボルトＢの六角穴に嵌入されるもので、締め付け頭部１１とフランジ部１２の下方に備えられ、所要長さを有して突出する棒状の六角レンチの先端部を先細りのテーパー状１４に形成して成る。該六角レンチ部１３の長さについては、特に限定するものではないが、本発明の目的が極狭の隙間部に螺合された六角穴付きボルトＢの締め付け・取り外しを容易にすることにあることから、比較的短形を為し、例えば六角レンチラチェットアダプター１０全体の略半分の長さを有して形成される。
【００２８】
前記六角レンチ部１３は、六角レンチの先端部が先細りのテーパー状１４に形成されて成るが、かかるテーパー状１４に形成されることで、六角穴付きボルトＢに対し六角レンチ部１３が傾いて進入しても、確実に六角レンチ部１３の先端が六角穴に嵌入されることとなる。
【００２９】
以上の構成要素から成る本発明にかかる六角レンチラチェットアダプター１０について、その使用手順について説明する。図２は、本発明にかかる六角レンチラチェットアダプター１０の締め付け作業時における使用手順を示す説明図であり、以下の手順により締め付け作業が行われる。
（１）極狭の隙間部に螺合される六角穴付きボルトＢの六角穴の上方に六角レンチラチェットアダプター１０を位置させ、六角レンチ部１３における先細りのテーパー状１４に形成された箇所を嵌入ガイドとして、六角穴付きボルトＢの六角穴に六角レンチ部１３の先端部を嵌入させる。
（２）初期回転時など六角穴付きボルトＢの螺合状態が緩い場合は、周縁部に滑り止め加工１２ａが施されたフランジ部１２を指先で持って回転することで、六角穴付きボルトＢを手回しで締め付ける。
（３）ラチェットレンチ２０のラチェット穴２１を締め付け頭部１１の位置に合わせ、嵌入させる。
（４）ラチェットレンチ２０のラチェット機能を利用して、六角穴付きボルトＢを締め付ける。
尚、取り外し作業における使用手順については、単純に上記（１）〜（４）を逆に行えば足りるため、説明は省略する。
【００３０】
以上で構成される本発明にかかる六角レンチラチェットアダプター１０は、締め付け頭部１１とフランジ部１２と六角レンチ部１３から成り、その全体が一体成型されていることによって、締め付け時の力損失（パワーロス）の抑制に資すると共に、収納時の部品管理が容易となる。また、従来のＬ字型六角レンチに比し、六角レンチ部１３をはじめ全体が比較的短形を為すことによって、極狭の隙間部に螺合された六角穴付きボルトＢの締め付け・取り外しが容易となる。さらに、六角レンチ部１３の先端部が先細りのテーパー状１４に形成されることによって、六角穴付きボルトＢの六角穴に六角レンチ部１３の先端を容易に嵌入させることができ、確実な締め付けを可能にする。またさらに、締め付け頭部１１より大径に形成され且つ周縁部に滑り止め加工１２ａが施された円盤状のフランジ部１２が形成されていることによって、該滑り止め加工１２ａが施されたフランジ部１２を指先で把持して、初期回転時など手回しによる作業が容易となっている。
【実施例２】
【００３１】
次に、本発明にかかる六角レンチラチェットアダプター１０の他の実施形態について説明する。上記実施例１と同様の部分は、説明を省略する。
図３は、本発明にかかる六角レンチラチェットアダプター１０の他の実施形態を示しており、（ａ）及び（ｂ）は夫々他の実施形態を示す斜視図と断面図による説明図である。
当該他の実施形態にかかる六角レンチラチェットアダプター１０は、先細りのテーパー状１４を為す六角レンチ部１３の先端が面取りされた形状を採用するものである。
【００３２】
かかる六角レンチ部１３の先端の面取り形状については、図３（ａ）に示すように平面状１４ｂを為している場合と、図３（ｂ）に示すような球面状１４ｃを為す場合とが考え得る。
【００３３】
以上で構成される本発明にかかる六角レンチラチェットアダプター１０は、先細りのテーパー状１４を為す六角レンチ部１３の先端が、平面状１４ｂまたは球面状１４ｃに面取りされていることによって、六角穴付きボルトＢの六角穴に六角レンチ部１３の先端を容易に嵌入させることができ、確実な締め付けを可能にすると共に、先細りした先端による突き刺し負傷を防止し、安全性向上にも資するものである。
【産業上の利用可能性】
【００３４】
本発明は、六角レンチラチェットアダプターの各構成要素が一体成型によって集約された構造を採ることで、締め付け時・取り外し時の力損失（パワーロス）の抑制に資すると共に、収納時の部品管理が容易であり、また、比較的短形で先細りのテーパー状１４に形成されることで、六角レンチ部の先端の六角穴への嵌入が容易であると共に、極狭の隙間部に螺合された六角穴付きボルトの締め付け・取り外しを容易ならしめる、といった多くの工夫が施された構造を採用するものである。したがって、本発明にかかる「六角レンチラチェットアダプター」の産業上の利用可能性は、極めて大であるものと思料する。
【符号の説明】
【００３５】
１０    六角レンチラチェットアダプター
１１    締め付け頭部
１２    フランジ部
１２ａ  滑り止め加工
１３    六角レンチ部
１４    テーパー状面取り
１４ｂ  平面状
１４ｃ  球面状
２０    ラチェットレンチ
２１    ラチェット穴
Ｂ    六角穴付きボルト
【図１】
2019115947.tif 000003
【図２】
2019115947.tif 000004
【図３】
2019115947.tif 000005